(57)【特許請求の範囲】
【請求項１】
表示手段や操作子をパネル上に備えるとともに、複数の入力系統から入力した複数の音響信号に対し任意にミキシング処理して複数の出力系統に出力するディジタル・ミキサであって、
ミキシング処理に係る複数のチャンネルに対して割り当てる、ｎ文字の第１ネームとｍ文字（ただし、ｎ＜ｍ）の第２ネームからなるネームセットの一覧のテンプレートを記憶する手段と、
前記複数のチャンネルから選択したチャンネルに、前記テンプレートから選択したネームセットを、割り当てる手段と、
前記テンプレートに含まれるネームセットの第１ネームと第２ネームの何れか一方を選択して編集する手段と、
前記複数のチャンネルから選択したチャンネルに割り当てたネームセットの第１ネームと第２ネームの一方を選択して直接書き替える手段と
を備えたことを特徴とするディジタル・ミキサ。
【請求項２】
請求項１に記載のディジタル・ミキサにおいて、
前記複数のチャンネルの各チャンネルに対応する複数の操作子の近傍に配置された小型の第１表示器と、
該第１表示器に、各チャンネルに割り当てたネームセットの第１ネームを表示する第１表示制御手段と、
前記複数のチャンネルに共通に設けられた大型の第２表示器と、
該第２表示器に前記複数チャンネルの何れかのチャンネルに関する情報を選択的に表示する際に、当該チャンネルに割り当てられたネームセットの第２ネームを表示する第２表示制御手段と
をさらに備えたことを特徴とするディジタル・ミキサ。
【請求項３】
請求項１に記載のディジタル・ミキサにおいて、
前記複数のチャンネルのうちの選択されたチャンネルに割り当てられたネームセットを、前記テンプレートを記憶する手段に該テンプレートの１つのネームセットとして書き込む手段
をさらに備えたことを特徴とするディジタル・ミキサ。
【発明の詳細な説明】
【０００１】
【発明の属する技術分野】
この発明は、コンサートや演劇などを行なう会場などにおいて音響設備の集中的な制御を行なうディジタル・ミキサに関し、特にミキシング処理に係る複数のチャンネルに何の信号が割り当てられているかを分かりやすく表示するためのネーム割り当て表示機能を改良したディジタル・ミキサに関する。
【０００２】
【従来の技術】
従来より、コンサートや演劇などの会場において音響設備を制御するためのミキサ装置が知られている。このような会場の音響設備では、多数のマイクロフォンおよび多数のスピーカが使用され、効果音なども多種多様に使用される。ミキサ装置は、多数の入力をどのようにミキシングして、どのように効果を付与し、どの出力系統に出力するか、などを集中的に制御する。
【０００３】
上述したような従来のミキサ装置では、内部的に多数のチャンネルが設けられ、それらのチャンネル上でミキシングを行なっている。多数の入力ソースからの入力信号は、何れかのチャンネルに結線され、そのチャンネル上でミキシングされ、その結果は当該チャンネルに結線された何れかの出力系統に出力される。これらのチャンネルには操作子や表示器が割り当てられ、操作子でレベル制御したり、表示器に入出力のレベルを表示するなどの操作あるいは状態表示などが行なえる。
【０００４】
【発明が解決しようとする課題】
上述したような従来のミキサ装置では、パネル上の多数の操作子や表示器を多数のチャンネルにそれぞれ割り当てて、各チャンネルの制御を行なっている。そのため、操作者は、各チャンネルにどの信号が割り当てられているかを把握して操作を行なわなければならない。しかし、パネル上の操作子などの数が多くなり、また制御するチャンネル数も多くなってくると、操作者が割り当て状態を把握するのが困難になってくるという問題があった。
【０００５】
この発明は、上述の従来技術における問題点に鑑み、ミキシング処理に係るチャンネルにどのような信号が割り当てられているかを操作者が容易に把握できるように、各チャンネルへのネームの割り当て機能を改良し、より分かりやすく操作できるディジタル・ミキサを提供することを目的とする。
【０００６】
【課題を解決するための手段】
この目的を達成するため、請求項１に係る発明は、表示手段や操作子をパネル上に備えるとともに、複数の入力系統から入力した複数の音響信号に対し任意にミキシング処理して複数の出力系統に出力するディジタル・ミキサであって、ミキシング処理に係る複数のチャンネルに対して割り当てる、ｎ文字の第１ネームとｍ文字（ただし、ｎ＜ｍ）の第２ネームからなるネームセットの一覧のテンプレートを記憶する手段と、前記複数のチャンネルから選択したチャンネルに、前記テンプレートから選択したネームセットを、割り当てる手段と、前記テンプレートに含まれるネームセットの第１ネームと第２ネームの何れか一方を選択して編集する手段と、前記複数のチャンネルから選択したチャンネルに割り当てたネームセットの第１ネームと第２ネームの一方を選択して直接書き替える手段とを備えたことを特徴とする。
【０００７】
請求項２に係る発明は、請求項１に記載のディジタル・ミキサにおいて、前記複数のチャンネルの各チャンネルに対応する複数の操作子の近傍に配置された小型の第１表示器と、該第１表示器に、各チャンネルに割り当てたネームセットの第１ネームを表示する第１表示制御手段と、前記複数のチャンネルに共通に設けられた大型の第２表示器と、該第２表示器に前記複数チャンネルの何れかのチャンネルに関する情報を選択的に表示する際に、当該チャンネルに割り当てられたネームセットの第２ネームを表示する第２表示制御手段とをさらに備えたことを特徴とする。
【０００８】
請求項３に係る発明は、請求項１に記載のディジタル・ミキサにおいて、前記複数のチャンネルのうちの選択されたチャンネルに割り当てられたネームセットを、前記テンプレートを記憶する手段に該テンプレートの１つのネームセットとして書き込む手段をさらに備えたことを特徴とする。
【０００９】
【発明の実施の形態】
以下、図面を用いてこの発明の実施の形態を説明する。
【００１０】
図１は、この発明の実施の形態に係るディジタル・ミキサの機能構成を示す。１０１〜１０３は、ミキシング処理への入力を示す。ＭＡＤｉｎ１０１は、マイク信号のアナログ／ディジタル変換入力ボードによる入力を示す。ＡＤｉｎ１０２は、ライン信号のアナログ／ディジタル変換入力ボードによる入力を示す。Ｄｉｎ１０３は、ディジタル入力ボードによる入力を示す。以上のＭＡＤｉｎ１０１、ＡＤｉｎ１０２、およびＤｉｎ１０３の３種類のボードは、インターフェースボックスに差し込むことによってボード単位で増設できる。
【００１１】
入力パッチ１１１は、上述した入力系統（ＭＡＤｉｎ１０１、ＡＤｉｎ１０２、Ｄｉｎ１０３）から、入力チャンネル（４８シングル入力）およびステレオ入力チャンネル（４ステレオ入力）への任意結線を行なう。その設定は、ユーザが所定の画面を見ながら任意に行なうことができる。
【００１２】
入力チャンネル１１２には、入力パッチ１１１で選択された入力信号が入力する。同様にステレオ入力チャンネル１１３には、入力パッチ１１１で選択された入力信号が入力する。入力チャンネル１１２からは、４８本のＭＩＸバス１１４あるいはステレオバス（Ｓｔｅｒｅｏ＿Ｌ／Ｒ）１１５の任意のチャンネルへ選択的に出力することができる。同様に、ステレオ入力チャンネル１１３からは、ＭＩＸバス１１４あるいはステレオバス１１５の任意のチャンネルへ選択的に出力できる。入力チャンネル１１２およびステレオ入力チャンネル１１３の各チャンネルでは、各ＭＩＸバス１１４およびステレオバス１１５への送出レベルをそれぞれ独立に設定することができる。また、入力チャンネル１１２およびステレオ入力チャンネル１１３から、後述するＣＵＥ＿Ｌ／Ｒバス１１６あるいはＫＥＹ＿ＩＮバス１１７へ選択的に出力をすることもできる。
【００１３】
ＭＩＸバス１１４は、入力チャンネル１１２あるいはステレオ入力チャンネル１１３から入力する信号をミキシングする。ミキシングされた信号は、対応するＭＩＸ出力チャンネル１２２に出力される。ＭＩＸバス１１４とＭＩＸ出力チャンネル１２２とは、１対１の対応で各チャンネルが対応づけられている。ステレオバス１１５は、入力チャンネル１１２あるいはステレオ入力チャンネル１１３から入力する信号をミキシングする。ミキシングされたステレオ信号は、２つのステレオ出力チャンネル１２１へ並行して出力される。ＣＵＥ＿Ｌ／Ｒバス１１６は、各チャンネルにどのような信号が入力しているかを確認するためのバスである。後述するように各チャンネル操作子の下にＣＵＥボタンが設けられており、それをオンすると、そのチャンネルの信号のみがこのバス１１６を経由して例えばヘッドフォンなどで確認できる。ＫＥＹ＿ＩＮバス１１７は、シングル入力が４チャンネル分のバスであり、コンプレッサを制御するためのものである。
【００１４】
ステレオ出力チャンネル１２１は、ステレオのＬとＲが常時ペアで制御される。ステレオ出力チャンネル１２１の出力は、出力パッチ１２４およびマトリックス出力チャンネル１２３へ出力される。ＭＩＸ出力チャンネル１２２は、ＭＩＸバス１１４からの出力を出力パッチ１２４またはマトリックス出力チャンネル１２３へ出力する。ＭＩＸ出力チャンネル１２２では、（２Ｎ＋１）番目のチャンネルと（２Ｎ＋２）番目のチャンネルをペアにすることができる。
【００１５】
マトリックス出力チャンネル１２３は、ステレオ出力チャンネル１２１とＭＩＸ出力チャンネル１２２から任意の数の信号を選択的に入力することができ、選択入力されたこれらの信号をさらにミキシングすることができる。信号処理の構成は、ステレオ出力チャンネル１２１およびＭＩＸ出力チャンネル１２２と同様である。マトリックス出力チャンネル１２３の出力は、出力パッチ１２４へ出力される。
【００１６】
出力パッチ１２４は、上述した３種類の出力チャンネルから、出力系統（ＤＡｏｕｔ、Ｄｏｕｔ）への任意の結線を行なう。ＤＡｏｕｔ１３１は、ディジタル／アナログ変換出力ボードへの出力を示す。Ｄｏｕｔ１３２は、ディジタル出力ボードへの出力を示す。
【００１７】
図２に、図１の機能構成のディジタル・ミキサのハードウエア的なブロック構成を示す。このディジタル・ミキサは、表示器２０１、フェーダ２０２、操作子２０３、中央処理装置（ＣＰＵ）２０４、フラッシュメモリ２０５、ランダムアクセスメモリ（ＲＡＭ）２０６、ＰＣ入出力インターフェース２０７、および信号処理部（ＤＳＰ）２０８を備えている。表示器２０１、フェーダ２０２、および操作子２０３は、このディジタル・ミキサのパネル上に設けられており、ユーザが参照し、あるいは操作するためのものである。ＣＰＵ２０４が実行する動作プログラムは、フラッシュメモリ２０５に記憶されている。また図７で後述するような各種のデータも、フラッシュメモリ２０５に記憶されている。ＣＰＵ２０４は、操作子２０３およびフェーダ２０２の操作を検出し、ＤＳＰ２０８の動作、表示器２０１の表示内容、フェーダ２０２の位置などを制御する。
【００１８】
ＤＳＰ（ディジタル・シグナル・プロセッサ）２０８は、図１で説明したような機能構成のミキサ処理を行なうための信号処理部である。ＤＳＰ２０８には、信号の入出力のために入力側にコネクタ１〜１０（２２１〜２２３）、出力側にコネクタ１〜６（２３１〜２３３）が設けられている。１つの入力コネクタ２２１〜２２３には、図１で説明したインターフェースボックスとして、アナログ／ディジタル変換ボックスまたはディジタルインターフェースボックスのいずれかを接続することができる。１つのアナログ／ディジタル変換ボックスには、Ａ／Ｄ変換ボード（図１のＭＡＤｉｎ１０１）を複数枚増設することができる。各アナログ／ディジタル変換入力ごとに、ゲイン（ボリューム）と極性の設定が可能である。１つのディジタルインターフェースボックスには、ディジタルＩ／Ｏボード（図１のＤｉｎ１０３、Ｄｏｕｔ１３２）を複数枚増設することができる。
【００１９】
また、ＤＳＰ２０８の出力側の１つのコネクタ２３１〜２３３には、図１で説明したインターフェースボックスとして、ディジタル／アナログ変換ボックスまたはディジタルインターフェースボックスのいずれかを接続することができる。１つのディジタル／アナログ変換ボックスには、Ｄ／Ａ変換ボード（図１のＤＡｏｕｔ１３１）を複数枚増設することができる。各ディジタル／アナログ変換出力ごとにゲインと極性の設定が可能である。なお、ディジタルインターフェースボックスに差し込むディジタルＩ／Ｏボードは入出力両用でよいから、その場合は、ＤＳＰ２０８の入力側と出力側のディジタルインターフェースボックスを共用することになる。
【００２０】
図３に、この実施の形態のディジタル・ミキサの外部パネルの構成図を示す。パネル３００上には、それぞれセクションに分けられて表示器や各種の操作子などが配置されている。３０１は入力チャンネルセクション、３０３は表示部のセクション、３０４はマトリックス（ＭＡＴＲＩＸ）チャンネルセクション、３０５はＭＩＸチャンネルセクション、３０８はコントロール／メモリセクションを、それぞれ示す。表示部セクション３０３は、図２の表示器２０１に相当するもので、複数のチャンネルに共通に使用するために設けられているものである。
【００２１】
以下、各セクションについて詳細に説明する。
【００２２】
図４（ａ）に、入力チャンネルセクション３０１の詳細な構成を示す。入力チャンネルセクション３０１は、図１の入力チャンネル１１２の各チャンネルのゲイン設定などを行なう部分である。縦長の部分４１０で１チャンネルに対応する１セットの操作子群を示し、これを幾つか並べて入力チャンネルセクション３０１を構成している。１チャンネルの操作子群４１０は、選択された１系統のＭＩＸバス１１４へのセンドレベルを設定するコントローラ（ロータリーエンコーダ）４１１、ステレオバス１１５に信号を送り込む際のパンを設定するコントローラ４１３、ステレオバス１１５へのアサインのオン／オフを設定するスイッチ４１５、ヘッドアンプゲイン調整を行なうコントローラ４１６、この入力チャンネルに割り当てられたショートネームを表示する表示部４１９、この入力チャンネルのオン／オフを設定するスイッチ４２０、ゲイン調整のためのモータ付きムービングフェーダ４２１、および、この入力チャンネルの信号をＣＵＥ＿Ｌ／Ｒバス１１６に送り込む設定を行なうためのＣＵＥスイッチ４２２を備える。コントローラ４１１，４１３，４１６の周囲には、それらのコントローラによる設定レベルを示すＬＥＤのインジケータ４１２，４１４，４１７が設けてある。入力チャンネルセクション３０１のコントローラ４１１の上部には、コントローラ４１１で操作されるセンドレベルがどのＭＩＸバスのセンドレベルかを選択するためのＩＮＣキー４０２とＤＥＣキー４０３、および、その選択されたＭＩＸバスに割り当てられているショートネームを表示する表示部４０１が設けられている。
【００２３】
図４（ｂ）に、コントローラとインジケータの詳細な外観を示す。４５１はユーザが操作するコントローラのつまみである。４５２はその周囲に配置されたＬＥＤである。ＬＥＤ４５２は、このコントローラ４５１で設定されている値を示すインジケータになっている。
【００２４】
図５（ａ）に、マトリックス（ＭＡＴＲＩＸ）チャンネルセクション３０４の詳細な構成を示す。マトリックスチャンネルセクション３０４は、図１のマトリックス出力チャンネル１２３のレベル調整などを行なう部分である。５１０で、マトリックス出力チャンネル１２３の１チャンネルに対応する１セットの操作子群を示し、これを幾つか並べてマトリックスチャンネルセクション３０４を構成している。１チャンネルの操作子群５１０は、このチャンネルに割り当てられたショートネームを表示する表示部５１１、このチャンネルのオン／オフの設定を行なうためのスイッチ５１２、このチャンネルの出力レベルを設定するためのコントローラ５１３、設定された出力レベルを表すインジケータ５１４、この入力チャンネルの信号をＣＵＥ＿Ｌ／Ｒバス１１６に送り込む設定を行なうためのＣＵＥスイッチ５１５、および、各種の設定を行なうためのＳＥＬスイッチ５１６を備える。
【００２５】
図５（ｂ）に、ＭＩＸチャンネルセクション３０５の詳細な構成を示す。ＭＩＸチャンネルセクション３０５は、図１のＭＩＸ出力チャンネル１２２のレベル調整などを行なう部分である。５３０で、ＭＩＸ出力チャンネル１２２の１チャンネルに対応する１セットの操作子群を示し、これを幾つか並べてＭＩＸチャンネルセクション３０５を構成している。１チャンネルの操作子群５３０の構成は、図５（ａ）のマトリックスチャンネルセクションの操作子群５１０の構成と同様である。５３１〜５３６の各部は、５１１〜５１６の各部に対応している。
【００２６】
図６は、コントロール／メモリセクション３０８の詳細な構成を示す。このコントロール／メモリセクション３０８の所定の操作子を操作することにより、任意のシーンを呼び出すことができる。シーンとは、各場面ごとのミキシング状態や結線状態などをシーン（ＳＣＥＮＥ）として記憶したものである。設定した状態を１つのシーンとして記憶しておき、あとで記憶されたシーンを呼び出す（リコール）ことにより、設定した状態を簡単に再現できる。シーンを呼び出すと、当該シーンで使用するネームデータに応じて、図４の４１９、図５（ａ）の５１１、および図５（ｂ）の５３１に示すようにショートネームが表示される。これにより、上述の各操作子群にどのような信号が割り当てられているかが分かりやすくなる。カーソル移動キー６０１、トラックパッド６０２、左パッドスイッチ６０３、および右パッドスイッチ６０４は、表示部セクション３０３（図２の２０１）に表示された画面を参照してユーザが各種の設定変更を行なう際に使用する。
【００２７】
図７は、図２のフラッシュメモリに確保されたデータ記憶領域のメモリマップを示す。データ記憶領域には、１００個のパッチデータを格納するための配列ＰＤ（１）〜ＰＤ（１００）や１００個のネームデータを格納するための配列ＮＤ（１）〜ＮＤ（１００）のほか、シーンを特定するデータが設けられている。配列ＰＤ（１）〜ＰＤ（１００）に記憶するパッチデータとは、図１で説明した入力パッチ１１１および出力パッチ１２４の結線状態を表すデータである。配列ＮＤ（１）〜ＮＤ（１００）に記憶するネームデータとは、図１で説明した入力チャンネル１１２、ＭＩＸ出力チャンネル１２２、およびＭＡＴＲＩＸ出力チャンネルの各チャンネルとそこに割り当てた名前（ロングネームおよびショートネームなど）との対応関係を示すデータである。各シーンのデータは、ネームデータへのリンクＮＤＬを有し、これにより当該シーンで利用する各チャンネルとネームとの割り当てが判る。ネームデータＮＤの設定変更は、所定の操作により表示器セクション３０３にこれらのデータの設定変更画面を表示し、図６で説明したカーソル移動キー６０１、トラックパッド６０２、左パッドスイッチ６０３、および右パッドスイッチ６０４などを操作することにより行なうことができる。
【００２８】
上述したようにこの実施形態のシステムでは、各操作子やスイッチなどが何の信号の制御にアサイン（割り当て）されているかをユーザが容易に把握できるようにするため、図４の４１９、図５（ａ）の５１１、および図５（ｂ）の５３１に示すように、ショートネームを表示する表示器を備えている。各チャンネルへのショートネームの割り当ては、ユーザが所定の画面を参照しながら任意に行なえるようになっている。以下では、ショートネームの割り当て操作と処理の流れを説明する。
【００２９】
図１０は、所定の操作により各チャンネルへのネームの割り当てを行なうことを指示したときに表示セクション３０３に表示される初期画面を示す。１００１は、割り当てることができるネームの一覧であるテンプレートの表示である。１００２は、ネームを割り当てる対象であるチャンネル（ここでは入力チャンネル）の一覧表示であるネームテーブルである。図１９にテンプレートの例を示す。図１９のようなテンプレートは、あらかじめフラッシュメモリ２０５中に用意しておく。図１０の画面表示を行なうとき、テンプレートを読み出し、１００１に示すように表示する。
【００３０】
図１１は、カーソルをテンプレート１００１のショートネーム「Ｋｉｃｋ」に合わせて選択（図７の左パッドスイッチ６０３のオン）したところを示す。これにより、選択ネーム表示領域１１０１に、選択したショートネーム「Ｋｉｃｋ」が表示される。また、ネームテーブル１００２から、ネームを割り当てる対象のチャンネルを選択できる。いまはチャンネルＣＨ１が選択されているものとする。
【００３１】
次に、図１２に示すように、左矢印キー１２０１をオンすると、選択されたチャンネルＣＨ１のネームとして、選択した「Ｋｉｃｋ」がショートネームとロングネームがセットで設定される。図１３は、設定された状態を示す。ＣＨ１のショートネームとロングネームがセットされている。
【００３２】
次に図１４は、テンプレート１００１でロングネーム「Ｋｉｃｋ」を選択した後、当該選択したネームを選択ネーム表示領域１１０１で編集した様子を示す。ここでは、ロングネーム「Ｋｉｃｋ」の後にスペースとＬをタイプしている。ネームの編集は、キーボード表示１４０１に表示されている各キーを利用して任意に行なえる。編集の後、エンターボタン１４０２をオンすると、編集した結果がテンプレート１００１の編集前のネームのコピー元（この場合は、テンプレートの１番のショートネーム）に反映される。
【００３３】
図１５は、ロングネーム「Ｋｉｃｋ」を「Ｋｉｃｋ  Ｌ」に編集したところを示す。１５０１に示すように、ロングネームが「Ｋｉｃｋ  Ｌ」になっている。このように、テンプレートからネームテーブルへの設定はロングネームとショートネームをセットとして行なわれ、ネームの文字の編集はロングネームとショートネームで個別に行なわれる。
【００３４】
次に図１６は、ネームテーブル１００２でショートネーム「ｃｈ１０」を選択し、選択ネーム表示領域１１０１にそのショートネーム「ｃｈ１０」が表示されたところを示す。その後、選択ネーム表示領域１１０１で編集を行ない、図１７に示すように「ＫＥＹ１」としたとする。次に、エンターキー１４０２をオンすると、編集したネーム「ＫＥＹ１」がネームテーブル１００２のチャンネルＣＨ１０のショートネームに反映される。図１８は、ネームテーブル１００２のチャンネルＣＨ１０のショートネームが「ＫＥＹ１」に変更された様子を示す。
【００３５】
以上のように、テンプレート１００１およびネームテーブル１００２のどちらのショートネームの欄およびロングネームの欄についても、選択ネーム表示領域１１０１上で編集することができる。また、ネームの設定は、左矢印キー１２０１をオンするだけでショートネームおよびロングネームがセットで設定できる。このように、ロングネームとショートネームのセットでの設定は、テンプレートからネームテーブルと、ネームテーブルからテンプレートへの双方向で行なうことができる。
【００３６】
図８および図９は、左パッドスイッチ６０３のオンイベントの処理フローを示す。図８（ａ）は、ネームテーブルのロングネーム上にカーソルを合わせて左パッドスイッチ６０３をオンしたときの処理を示す。ステップ８０１で、レジスタＴＢＦを「１」に、レジスタＳＮＦに「０」をセットし、ＴＢＰにネームテーブルＴＢＬ上のカーソル位置をセットする。レジスタＴＢＦは処理対象のテーブルを示し、「０」でテンプレート、「１」でネームテーブルを示す。レジスタＳＮＦは、カーソルがテーブルのショートネームに合わせてあったか、ロングネームに合わせてあったかを示す。「０」でロングネーム、「１」でショートネームであることを示す。ステップ８０１の後、ステップ８０２で、ＴＢＰ位置からロングネームをバッファＢＵＦにコピーして、処理を終了する。バッファＢＵＦは、その内容が選択ネーム表示領域１１０１に表示されるネーム編集用のバッファである。
【００３７】
図８（ａ）ではネームテーブルのロングネーム上にカーソルを合わせたときの例を示したが、ネームテーブルのショートネーム、テンプレートのショートネームまたはロングネームにカーソルを合わせたときは、上記レジスタの設定値を変えればよい。
【００３８】
図８（ｂ）は、キーボード表示１４０１上のキーにカーソルを合わせて左パッドスイッチ６０３をオンしたときの処理を示す。ステップ８１１で、バッファＢＵＦ中のネームを、キーボード表示１４０１のオンされたキーに応じて編集する。
【００３９】
図８（ｃ）は、エンターキー１４０２にカーソルを合わせて左パッドスイッチ６０３をオンしたときの処理を示す。ステップ８２１で、バッファＢＵＦ中のネームを、ＴＢＦに応じたテーブル（ネームテーブルまたはテンプレート）のＳＮＦに応じたネームの位置へ書き込む。
【００４０】
図９は、左矢印キー１２０１にカーソルを合わせて左パッドスイッチ６０３をオンしたときの処理を示す。ステップ９０１で、レジスタＴＢＦが「０」であるか、すなわち編集対象のテーブルがテンプレートかネームテーブルかを判別する。ネームテーブルであるときは、ステップ９０２で、テンプレートの選択されている位置からショートネームとロングネームを、ネームテーブルの選択されている位置にコピーする。ステップ９０１で編集対象のテーブルがテンプレートであるときは、ステップ９０３で、編集対象がショートネームかロングネームかを判別する。ロングネームのときは、ステップ９０４で、バッファＢＵＦのロングネームとネームテーブルの選択されている位置のショートネームを、ネームテーブルの選択されている位置にコピーする。ステップ９０３でショートネームのときは、ステップ９０５で、バッファＢＵＦのショートネームとネームテーブルの選択されている位置のロングネームを、ネームテーブルの選択されている位置にコピーする。
【００４１】
以上のように、本実施の形態では、転送指示（左矢印キー１２０１の操作）に応じてテンプレートからネームテーブルへロングネームとショートネームを転送する際に、テンプレートのロングネームとショートネームの一方をエディットしながら該転送を行なうことができる。ネームテーブルからテンプレートへの転送指示（右矢印キー）に応じた動作も同様であり、選択ネーム表示領域１１０１に表示されたネーム（ＢＵＦにストアされたネーム）がコピー元（この場合はネームテーブル）のロングネームないしショートネームであれば、該表示領域においてそのネームを編集しながらコピー先（この場合はテンプレート）へ転送することができる。なお、転送時に文字を編集するかわりに、転送指示に応じて、コピー元のロングネームおよびショートネームがそのままコピー先に転送されるようにしてもよい。
【００４２】
【発明の効果】
以上説明したように、この発明によれば、ショートネームとロングネームをセットにしたネームセットの一覧のテンプレートを記憶しておき、チャンネルへのネームの割り当てはテンプレートから選択したネームセットを割り当てるようにし、一方、テンプレートのネームセットの第１ネームと第２ネームの何れか一方を選択して編集したり、チャンネルに割り当てたネームセットの第１ネームと第２ネームの一方を選択して編集できるので、ミキシング処理に係るチャンネルへの割り当てが容易であり、また操作者は自分が分かりやすいショートネームとロングネームを容易に編集して割り当てることができる。結果として、操作者にとって操作しやすい環境が容易に設定できる。
【図面の簡単な説明】
【図１】この発明の実施の形態に係るディジタル・ミキサの機能構成図
【図２】実施の形態のディジタル・ミキサのブロック構成図
【図３】実施の形態のディジタル・ミキサの外部パネルの構成図
【図４】入力チャンネルセクションの詳細な構成図
【図５】マトリックスチャンネルセクションとＭＩＸチャンネルセクションの詳細な構成図
【図６】コントロール／メモリセクションの詳細な構成図
【図７】データ記憶領域のメモリマップを示す図
【図８】左パッドスイッチのオンイベントの処理手順を示すフローチャート（その１）図
【図９】左パッドスイッチのオンイベントの処理手順を示すフローチャート（その２）図
【図１０】各チャンネルへのネームの割り当て画面例（その１）を示す図
【図１１】各チャンネルへのネームの割り当て画面例（その２）を示す図
【図１２】各チャンネルへのネームの割り当て画面例（その３）を示す図
【図１３】各チャンネルへのネームの割り当て画面例（その４）を示す図
【図１４】各チャンネルへのネームの割り当て画面例（その５）を示す図
【図１５】各チャンネルへのネームの割り当て画面例（その６）を示す図
【図１６】各チャンネルへのネームの割り当て画面例（その７）を示す図
【図１７】各チャンネルへのネームの割り当て画面例（その８）を示す図
【図１８】各チャンネルへのネームの割り当て画面例（その９）を示す図
【図１９】テンプレートの例を示す図
【符号の説明】
１０１…ＭＡＤｉｎ（マイク信号のアナログ／ディジタル変換入力ボード）、１０２…ＡＤｉｎ（ライン信号のアナログ／ディジタル変換入力ボード）、１０３…Ｄｉｎ１０３（ディジタル入力ボード）、１０４…内蔵エフェクタ、１０５…内蔵イコライザ、１１１…入力パッチ、１１２…入力チャンネル、１１３…ステレオ入力チャンネル、１１４…ＭＩＸバス、１１５…ステレオバス、１１６…ＣＵＥ＿Ｌ／Ｒバス、１１７…ＫＥＹ＿ＩＮバス、１２１…ステレオ出力チャンネル、１２２…ＭＩＸ出力チャンネル、１２３…マトリックス出力チャンネル、１２４…出力パッチ、１３１…ＤＡｏｕｔ（ディジタル／アナログ変換出力ボード）、１３２…Ｄｏｕｔ（ディジタル出力ボード）。
【図１】
0003785637.tif 000002
【図２】
0003785637.tif 000003
【図３】
0003785637.tif 000004
【図４】
0003785637.tif 000005
【図５】
0003785637.tif 000006
【図６】
0003785637.tif 000007
【図７】
0003785637.tif 000008
【図８】
0003785637.tif 000009
【図９】
0003785637.tif 000010
【図１０】
0003785637.tif 000011
【図１１】
0003785637.tif 000012
【図１２】
0003785637.tif 000013
【図１３】
0003785637.tif 000014
【図１４】
0003785637.tif 000015
【図１５】
0003785637.tif 000016
【図１６】
0003785637.tif 000017
【図１７】
0003785637.tif 000018
【図１８】
0003785637.tif 000019
【図１９】
0003785637.tif 000020